(57)【要約】    【課題】燃料タンクに特別な取付部を設けずに比較的自由な位置に確実に且つ容易に消音板を装着することができ、しかも消音板の取付部の液密性を確保するために格別な構造上の変更や製造工数の増大を要することのない燃料タンク用消音装置を提供する。    【解決手段】形状復元性を有する材料で形成した消音体（消音板４）を、ポンプ装着孔（２）等の大径孔から縮めた状態で燃料タンク（１）内に挿入し、燃料タンクの内側に展開させた状態で固定するようにしてなる燃料タンク用消音装置において、燃料タンクに予め形成された付属部品装着孔（３）に係合可能な筒状体（リテーナ５）を消音板に固着し、付属部品装着孔に燃料タンク内から筒状体を係合させた後に筒状体が係合した付属部品装着孔に付属部品（１１）取り付けるものとする。  【選択図】図１
2006218924.tif 000002
【特許請求の範囲】
【請求項１】
形状復元性を有する材料で形成した消音体を、ポンプ装着孔等の大径孔から縮めた状態で燃料タンク内に挿入し、当該燃料タンクの内側に展開させた状態で固定するようにしてなる燃料タンク用消音装置であって、
当該燃料タンクに予め形成された付属部品装着孔に係合可能な筒状体を前記消音板に固着し、
前記付属部品装着孔に当該燃料タンク内から前記筒状体を係合させた後に、前記筒状体が係合した前記付属部品装着孔に前記付属部品を取り付けることを特徴とする燃料タンク用消音装置。
【請求項２】
前記付属部品に形成される燃料タンクに対する接合フランジを、前記筒状体の前記付属部品装着孔に対する係合部を覆い得る大きさとしたことを特徴とする請求項１に記載の燃料タンク用消音装置。
【発明の詳細な説明】
【技術分野】
【０００１】
本発明は、車両に搭載される燃料タンクに用いる消音装置に関し、特に合成樹脂製燃料タンクに用いるのに適した消音装置に関するものである。
【背景技術】
【０００２】
近年、熱可塑性合成樹脂材のブロー成形によって中空に形成されたタンクが、自動車や船舶の燃料タンクとして用いられることが一般化してきつつある。
【０００３】
一方、自動車の燃料タンクにあっては、急旋回、急発進、並びに急停止の際にタンク内の液体燃料が大きく揺動すると、液体燃料がタンクの壁を叩いて打音を発生するが、この液体燃料の揺動音は車両の品質感を著しく低下させるので、できる限り発生しないようにすることが望ましい。
【０００４】
このような観点に立脚した消音手段として、タンクの内面に支持面を形成し、この支持面に消音板（バッフルプレート）の一端縁を係止させ、タンクの上壁内面に設けたリテーナに消音板の他端縁を係止させるようにした構成が、特許文献１に開示されている。
【０００５】
しかしながら、この従来技術は、その内面に支持面を形成しなくてはならないので、タンクの成形が厄介である上、支持面形成のための段部が外面に影響を及ぼしてしまうという欠点がある。また、タンク内での保持力は消音板の伸張力のみに依存するため、脱落や位置ずれに対する信頼性に欠ける嫌いがある上、製造過程においてその取付状態を外部から確認することも不可能である。
【０００６】
そこで本出願人は、形状復元性を有する材料で形成した消音板を縮めた状態でポンプ装着孔から燃料タンク内に挿入し、燃料タンク内で展開させた消音板をファスナ手段をもってタンク内面に結合させる手法を特許文献２において提案した。
【特許文献１】実公平５−３０５０３号公報
【特許文献２】特開２００３−４９７３０号公報
【発明の開示】
【発明が解決しようとする課題】
【０００７】
しかるに、この先行技術によると、ファスナの取付孔を燃料タンクに開口させねばならないので、ファスナの取付部に液密処理を施す必要があり、製造工数が増大するという不都合がある。
【０００８】
本発明は、このような従来技術の問題点を解消すべく案出されたものであり、その主な目的は、燃料タンクに特別な取付部を設けずに比較的自由な位置に確実に且つ容易に消音板を装着することができ、しかも消音板の取付部の液密性を確保するために格別な構造上の変更や製造工数の増大を要することのない燃料タンク用消音装置を提供することにある。
【課題を解決するための手段】
【０００９】
このような課題を解決するため、本発明の請求項１は、形状復元性を有する材料で形成した消音体（消音板４）を、ポンプ装着孔（２）等の大径孔から縮めた状態で燃料タンク（１）内に挿入し、燃料タンクの内側に展開させた状態で固定するようにしてなる燃料タンク用消音装置において、燃料タンクに予め形成された付属部品装着孔（３）に係合可能な筒状体（リテーナ５）を消音板に固着し、付属部品装着孔に燃料タンク内から筒状体を係合させた後に、筒状体が係合した付属部品装着孔に付属部品（１１）を取り付けることを特徴とするものとした。  
【００１０】
また本発明の請求項２は、上記構成に加えて、付属部品に形成される燃料タンクに対する接合フランジ（１２）を、筒状体の付属部品取付孔に対する係合部を覆い得る大きさとした。
【発明の効果】
【００１１】
このような本発明によれば、燃料タンクに特別な保持部を形成する必要がないので、消音板の有無によって異なる加工を燃料タンクに施す必要が無い上、タンクの形状に左右されずに取り付けられることから、ブロー成形品の燃料タンクに対する適合性を高める上に大きな効果が得られ、ひいては製造コストの高騰を回避する上に多大な効果を奏することができる。しかも消音板の取付状態を付属部品の取付工程で外部から目視確認できるので、品質管理の容易化にも寄与するところ大である。
【００１２】
特に請求項２の構成によれば、燃料タンクに本来設置される付属部品の取付フランジで消音板の取付部が覆われるので、格別なシール手段を設けずに、また製造工数の増大を招かずに、消音板の取付部の液密性を確保することができる。
【発明を実施するための最良の形態】
【００１３】
以下に添付の図面を参照して本発明について詳細に説明する。
【００１４】
図１は、本発明に基づく消音装置が適用された合成樹脂製燃料タンクを示している。このタンク１は、ブロー成形で形成されており、その上壁には、図示しない燃料ポンプをタンク内に挿入した上でタンクの上壁に固定するための比較的大径のポンプ装着孔２と、例えばキャニスタ装置に接続されるワンウェイバルブの取付孔など、比較的小径の付属部品装着孔３とが形成されている。
【００１５】
他方、消音板４は、例えば熱可塑性樹脂材で形成された細長い糸状体を絡み合わせて集合させて海綿様に成形したものや、発泡樹脂材で板状に成形したものなど、弾力性に富み且つ緩衝作用のある適宜な厚さの板状体からなり、タンク１の上壁内面の適所を覆う適宜な輪郭形状をなしており、付属部品装着孔３に嵌着される筒状のリテーナ５がその適所に例えば加熱溶着で固着されている。
【００１６】
この消音板４をタンク１に組み込むに際しては、丸めたり折り畳んだりして縮めた状態の消音板４を大径なポンプ装着孔２からタンク１内に挿入し、タンク１上壁の付属部品装着孔３にタンク１の内側からリテーナ５を嵌着する（図２）。
【００１７】
リテーナ５は、図４に示したように、筒状部６と、消音板結合フランジ部７とからなり、筒状部６の軸方向外端側に切り込みを入れることで径方向に弾性変形する可撓部８が円周を等分割する位置に複数箇所形成されると共に、可撓部８の遊端に断面形状が鋸歯状をなす係合爪９が形成されている。そして筒状部６の軸方向外端側を付属部品装着孔３に押し込むと、装着孔３の内周面に係合爪７が押圧されて可撓部６が内向きに撓んで筒状部６の軸方向外端側が付属部品装着孔３内に進入し、付属部品装着孔３の開口端面を係合爪９の爪先が過ぎると付属部品装着孔３の開口端面に係合爪９が弾発係合する。
【００１８】
他方、消音板４は形状復元性を有しているので、外力を除くとタンク１内で展開し、自己の弾性をもってタンク１の内面に概ね密接する。このようにして、リテーナ５を介して消音板４がタンク１内に装着される。
【００１９】
なお、ポンプ装着孔２は、作業者の片腕を差し込んでリテーナ５を付属部品装着孔３に嵌着する作業が行える程度の寸法とされている。
【００２０】
この後、ワンウェイバルブなどの付属部品１１に形成されているフランジ１２を、装着孔３に対するリテーナ５の係合部を覆った状態で、タンク１の上壁外面に対して加熱溶着あるいは超音波溶着で固定すれば、リテーナ５の係合部を液密に封入することができる（図３）。ここで付属部品１１の取り付けは、本来必要な工程なので、リテーナ５の係合部を塞ぐだけのために製造工数を増やさずに済む。
【００２１】
以上詳述した通り、本発明の構成によれば、何ら追加工を施すことなく、燃料タンク１が本来備えている孔２・３を利用して消音板４を追加設置することができるため、消音板４の有無に応じたタンク１の設計変更が不要な上に製造設備の追加変更も不要であり、経済的にも極めて有利である。なお、本発明は、上記したタンクの上壁に設けられる付属部品に限らず、例えば側壁に設けるフィラーパイプの接続口に適用して実施することも可能である。
【図面の簡単な説明】
【００２２】
【図１】本発明装置が適用された燃料タンクの一部切除して示す概略側面図である。
【図２】本発明装置の取付要領を示す縦断面図である。
【図３】本発明装置の取付完了状態を示す縦断面図である。
【図４】リテーナの斜視図である。
【符号の説明】
【００２３】
１  燃料タンク
２  ポンプ装着孔
３  付属部品装着孔
４  消音板
５  リテーナ
１１  付属部品
１２  フランジ
【図１】
2006218924.tif 000003
【図２】
2006218924.tif 000004
【図３】
2006218924.tif 000005
【図４】
2006218924.tif 000006